(57)【要約】【課題】水道水用一軸式圧力調整器と製氷器等の機器入口に設置されたソレノイドバルブを、ウオータハンマ現象の高水圧による損傷から守る。【解決手段】プランジャ２にストロークを制限するストッパCを設けた水道水用一軸式圧力調整器のバルブシートアッセンブリ７を上流側に可動化し、圧力調整器と製氷器、食品機械、湯沸し器等の機器入口に設置されたソレノイドバルブの間でウオータハンマ現象が発生しても、７のバルブシートアッセンブリが上流側にスライドし高水圧を上流側に逃がすことで、ソレノイドバルブの損傷を防止する。【選択図】        図２
2007040326.tif 000002
【特許請求の範囲】
【請求項１】
ゴムシートと金属及びまたは樹脂製プランジャの小端面で構成されるプランジャ一体の調圧バルブであって、プランジャはボデーとの間でストロークを制限するストッパのある水道水用一軸式圧力調整器において、調圧バルブシートアッセンブリ部が上流側に軸に沿って可動することを特徴とする、水道水用一軸式圧力調整器。
【請求項２】
調圧バルブシートアッセンブリ部はスプリングによって下流側に押圧され、ボデーのストッパで位置決めされていることを特徴とする、請求項１の水道水用一軸式圧力調整器。
【発明の詳細な説明】
【技術分野】
【０００１】
本発明は、水道配管から水道水用一軸式圧力調整器と製氷機、食品機械、湯沸し器等の機器入口に設置されたソレノイドバルブの、設計値以上の高水圧による損傷や異常作動を防止するための水道水用一軸式圧力調整器に関するものである。
【背景技術】
【０００２】
水道配管から直結する製氷機、食品機械、湯沸し器等の機器類は、供給側の高水圧による機器類の損傷や異常作動を防止するために、機器類の上流側に図１の水道水用一軸式圧力調整器が組み込まれているものがある。図1において、１は圧力調整器ボデー本体、２は上流側と下流側との差圧で上流側に作動し小端部のバルブで下流側の圧力を調整するプランジャ、４はバルブシート、３は調圧スプリング、５はバルブシートアッセンブリで１のボデーに固定されている、Xは圧力調整器の1次側（供給側）接続口、Yは2次側（出口側）接続口である。水道水は４のバルブシート側から２のプランジャの中心穴を通過し、上記機器類へ供給される。
水道水用一軸式圧力調整器と機器類の間には水流を遮断するソレノイドバルブを設け自動で水流を制御している場合がある。この場合ソレノイドバルブは水流を急断するため、ウオータハンマ現象がソレノイドバルブと水道水用一軸式圧力調整器の間で発生し、水道水用一軸式圧力調整器のプランジャ２に異常な高水圧がかかりプランジャ２の小端面バルブ部でゴムのバルブシート４を切断してしまう不具合を防止する構造は提案済みである、一方異常高水圧はソレノイドバルブの損傷をも引き起こし、ソレノイドバルブの作動不良等の不具合も発生している。ソレノイドバルブが損傷すると、上記の機器類の機能を満足できない問題がある。
これらの不具合を防止するため、ウオータハンマ対策用ダンパ及び緩作動ソレノイドバルブ等が開示されている。しかし、実用のウオータハンマ対策用ダンパや緩作動ソレノイドバルブは、形状が大きく高価である欠点がある。
【特許文献１】特開２００２−２９５７０５
【特許文献２】特開２００２−０３９４８９
【発明の開示】
【発明が解決しようとする課題】
【０００３】
解決しようとする課題は、水道水用一軸式圧力調整器下流側の製氷器、食品機械、湯沸し器等の機器入口に設置されたソレノイドバルブの作動でウオータハンマ現象が起きた場合でも、水道水用一軸式圧力調整器を通して異常高水圧を上流側に逃がしソレノイドバルブに異常高水圧を作用させないようにする点である。
【課題を解決するための手段】
【０００４】
本発明は、図２において、ウオータハンマ現象で異常な高水圧が２のプランジャにかかると、プランジャ２の小端面バルブ部分は、６のバルブシートに強い力で接触しようとするが２のプランジャは１のボデーストッパCでストロークをBに制限されているため、２のプランジャは停止し、異常な高水圧は６のバルブシートに作用し７のバルブシートアッセンブリは上流側の水圧と、下流側の高水圧との差圧、そして差圧に８のスプリングで設定した力をマイナスした力で、上流側にスライドし、高水圧を上流側に逃がす。７のバルブシートアッセンブリの可動ストロークAは充分な逆流に対応できる寸度に設定をする。このようにして水道水用一軸式圧力調整器下流の異常高圧を低減しソレノイドバルブに影響させない様にすることを主要な特徴とする。
【発明の効果】
【０００５】
水道水用一軸式圧力調整器と製氷器、食品機械、湯沸し器等の機器類の入口に設置されたソレノイドバルブを、ウオータハンマ現象の高水圧による損傷から守るという目的を、大容量ダンパや高価な緩作動ソレノイドバルブを設置せず、水道水用一軸式圧力調整器のバルブシートを可動化することで基本構造を変えずに、安価に実現することができる。
【発明を実施するための最良の形態】
【０００６】
以上説明したように、本発明の水道水用一軸式圧力調整器は下流側のウオータハンマによる高水圧から製氷器、食品機械、湯沸し器等の機器入口に設けたソレノイドバルブの損傷を防止できるため、ダンパの増設や高価な緩作動ソレノイドバルブなどを必要とせず、水道配管から直結する食品機械や湯沸し器等機器類の小型低コスト化に貢献できる。
【実施例】
【０００７】
図２は、本発明の実施例の断面図であって、１はボデー、２はプランジャ、３は調圧スプリング、記号X、Yを含めて図１と同様である。６はバルブシート、８は６のリークを防止するため、ある程度の力を掛けておくスプリング。７はスライドを可能にしたバルブシートアッセンブリ。Cはプランジャ２のストッパ、Dはバルブシートアッセンブリ７の通常時ストッパ、Aはバルブシートアッセンブリ７の最大ストロークである。
【０００８】
１のボデーと２のプランジャにはストロークをBに規制するストッパ部Cを設けてあるため、水道水用一軸式圧力調整器上流の圧力より下流の圧力が高くなっても、２のプランジャはそれ以上上流側へは作動せず、高圧を受けた６のバルブシートを介して７のバルブシートアッセンブリが、上下流の差圧（マイナススプリング８の設定圧力）で上流側にスライドし、プランジャ２のバルブと６のバルブシート間の間隙を通過して下流の高圧水を上流側に逃がす。この作用により、製氷器、食品機械、湯沸し器等の機器入口に設けたソレノイドバルブの急激な高水圧による損傷を防止又は軽減することができる。
【０００９】
スプリング８の設定圧力は0.5MPa程度とし、通常の調圧作用時にバルブ部からのリークをしない程度とする。
【産業上の利用可能性】
【００１０】
以上説明したように、本発明の水道水用一軸式圧力調整器はウオータハンマによる、製氷器、食品機械、湯沸し器等の機器入口に設けたソレノイドバルブの損傷を防止できるため、ダンパの増設や高価な緩作動ソレノイドバルブなどを必要とせず、水道配管から直結する製氷器、食品機械、湯沸し器等の機器類の小型低コスト化に貢献できる。
【図面の簡単な説明】
【００１１】
【図１】従来の水道水用一軸式圧力調整器の説明図である。
【図２】本発明の水道水用一軸式圧力調整器の説明図である。（実施例１）
【符号の説明】
【００１２】
１    ボデー
２    プランジャ
３    スプリング
４    バルブシート
５    バルブシートアッセンブリ
６    バルブシート
７    バルブシートアッセンブリ
８    スプリング
X    水供給側
Y    水出口側
Ａ    ウオータハンマ時バルブシートアッセンブリ最大ストローク
Ｂ    ウオータハンマ時プランジャ最大ストローク
C    プランジャストッパ  
D    バルブシートアッセンブリストッパ
【図１】
2007040326.tif 000003
【図２】
2007040326.tif 000004